(57)【要約】【課題】  建具の吊元側において、十分な防音性を発揮させながら、防火建具としても対応できる建具を提供する。【解決手段】  障子と、建物の開口枠と、障子を建物の開口枠に開閉自在に支持する支持具と、障子の吊元側に配置される気密材とを備え、吊元側における障子の外周面に上下方向に連続する気密材係合部を設けるとともに、吊元側における建物開口枠の内周面に上下方向に連続する熱膨張材係合部を設け、気密材係合部に装着される気密材が熱膨張材係合部に対向する。【選択図】  図２
2018091141.tif 000002
【特許請求の範囲】
【請求項１】
障子と、建物の開口枠と、障子を建物の開口枠に開閉自在に支持する支持具と、障子の
吊元側に配置される気密材とを備え、
吊元側における障子の外周面に上下方向に連続する気密材係合部を設けるとともに、
吊元側における建物開口枠の内周面に上下方向に連続する熱膨張材係合部を設け、
気密材係合部に装着される気密材が熱膨張材係合部に対向する
ることを特徴とする建具。
【発明の詳細な説明】
【技術分野】
【０００１】
本発明は、建物の開口枠とドア本体等障子との間に防音のために気密材が取り付けられる建具に関する。
【背景技術】
【０００２】
例えば、建物の開口枠とドア本体との間に防音のために気密材が取り付けられたドアが知られているが、ドア本体の吊元側には丁番が設けられているので、気密材をドア本体の室内側面に当接するように開口枠に取付けたり、ドア本体の外周面に設けた丁番をさけてドア本体の外周側に取付けることにより防音性を発揮させていた。
【先行技術文献】
【特許文献】
【０００３】
【特許文献１】特開２００９−２６３８６３号公報
【発明の概要】
【発明が解決しようとする課題】
【０００４】
最近では、火災時の安全性を向上させるために、ドア本体等障子と開口枠との間に熱により膨張する熱膨張材を設けることができる建具が求められている。しかしながら、上記先行技術文献のように、ドアの吊元側においては丁番が設けられているために気密材を設ける箇所が限定され、さらにドア本体と開口枠との間に上下に連続して熱膨張材を取り付ける場所を確保することが難しかった。
【０００５】
本発明は、上記事情を鑑みたものであり、吊元側における障子と開口枠との間において、通常時には十分な防音性を発揮できるとともに、必要に応じて防火建具として対応することができる建具を提供することを目的とする。
【課題を解決するための手段】
【０００６】
本発明は、障子と、建物の開口枠と、障子を建物の開口枠に開閉自在に支持する支持具と、障子の吊元側に配置される気密材とを備え、吊元側における障子の外周面に上下方向に連続する気密材係合部を設けるとともに、吊元側における建物開口枠の内周面に上下方向に連続する熱膨張材係合部を設け、気密材係合部に装着される気密材が熱膨張材係合部に対向することを特徴とする。
【発明の効果】
【０００７】
ドアの吊元側における防音性を向上させることができるとともに、熱膨張材を取付ける場所を確保することができ、耐火ドアとしても使用することが可能となる。
【図面の簡単な説明】
【０００８】
【図１】本発明の実施形態に係るドアの全体斜視図である。
【図２】本発明の実施形態に係るドアの横断面図である。
【図３】本発明の実施形態に係るドアの要部の拡大図である。
【発明を実施するための形態】
【０００９】
本発明を、図１乃至３に示す実施形態のドアを用いて説明する。
（全体の構成）
図１に示すように、本発明の実施形態のドアは、左右の縦枠１３，１４に上枠１１及び下枠１２を突き合わせて固定してなる開口枠１と、上下框２１，２２及び左右縦框２３，２４とを四周に組んでその内周にパネル２５が嵌め込まれてなるドア本体（障子）２と、ドア本体２を建物の開口枠１に開閉自在に支持する丁番（支持具）３と、ドアの吊元側に配置され開口枠１とドア本体２との間を気密する気密材とから構成されている。
【００１０】
（ドア本体の構成）
図２に示すように、ドア本体２の戸先側縦框２３の室外側には略Ｌ字状の戸先側覆部２３１が延設されるとともに、戸先側覆部２３１の内面には室外側気密材４１が上下方向に亘って配置されており、ドア本体２と開口枠１との戸先側の気密を行っている。
【００１１】
一方、図３に示すように、ドア本体２の吊元側縦框２４の外周面には、丁番３を構成する羽板３２，３３の一方の羽板３３がネジ等により固定されており、固定された羽板３３の室内側には上下に連続する気密材係合部２４１が形成されている。気密材係合部２４１は、室内側壁部２４１ａと室外側壁部２４１ｂとにより外周方向に開口する溝状に形成されている。
【００１２】
気密材係合部２４１を構成する室外側壁部２４１ｂの室外側面には、丁番３の一方（ドア本体側）の羽板３３の室内側端部が当接し、丁番３の見込み方向の位置決め部材として作用している。また、気密材係合部２４１を構成する室内側壁部２４１ａは、縦框２４の室内側壁が外周方向に面一に延設されることにより形成されており、室外側壁部２４１ｂよりも外周方向にやや突出している。
【００１３】
気密材係合部２４１に取付けられる室外側気密材４２は、固定部４２ａと固定部４２ａより湾曲状に延設される舌片部４２ｂとにより構成されており、図３に示す実施形態において舌片部４２ｂは、固定部４２ａより一側方向（室内側方向）に一旦延設されたのち、他方向（室外側方向）に向けて湾曲状に延設されている。
【００１４】
そして、固定部４２ａが溝状の気密材係合部２４１に挿入されることにより、湾曲状の舌片部４２ｂが室内側から室外側に向かって外周方向へ向かうように固定され、ドア本体２の閉鎖時に建物の開口枠１に当接してドア本体２と開口枠１との吊元側の気密が行われている。
【００１５】
（開口枠の構成）
図２に示すように、建物の開口枠１の縦枠１３，１４は、開口部の内周面を覆う内周壁１３１，１４１と、内周壁１３１，１４１の室内側端部より外周方向へ設けられ室内側壁１３２，１４２と、内周壁１３１，１４１の室内側端部より外周方向へ設けられる室外側壁１３３，１４３とにより構成されている。そして、吊元側の縦枠１４の内周壁１４１には、丁番３を構成する他方の羽板３２がネジ等により固定されており、ドア本体２を揺動自在に支持している。
【００１６】
開口枠１の縦枠１３，１４の内周壁１３１，１４１には、戸当り片１３４，１４４がその室内側より内周方向へ向かって延設されており、戸当り片１３４，１４４の内周方向先端部には室外側に向かって開口する溝状の気密材係合部１３４ａ，１４４ａが形成されている。そして、気密材係合部１３４ａ，１４４ａには、室内側気密材４３，４４が装着されている。
【００１７】
図３に示すように、室内側気密材４４（戸先側の室内側気密材４３についても、同様である。）は、気密材係合部１４４ａに係合する固定部４４ａと、固定部４４ａに連続する中空部４４ｂと、中空部４４ｂより突設する気密片部４４ｃとにより見込み方向に肉厚に構成されており、ドアの閉鎖時にドア本体２の室内側面に当接して気密するとともに、使用者が誤ってドアに指等を挟んでしまったときの衝撃を和らげることができる。
また、室内側気密材４４が肉厚に構成されていることにより、吊元側においてはドアの開閉に伴って室内側気密材４４が縦枠１４と吊元側縦框２４との間に巻き込まれやすくなるが、縦框２４の室内側壁が外周方向にやや突出して形成されているので、巻き込みを防止することができる。
【００１８】
そして、開口枠１の気密材係合部１３４ａ，１４４ａに装着された室内側気密材４３，４４とドア本体２側に配置された室外側気密材４１，４２とにより、具体的には、戸先側においては、戸先側覆部２３１の内面に設けられた室外側気密材４１と室内側気密材４３とにより、吊元側においては、吊元側縦框２４の外周面に設けられた室外側気密材４２と室内側気密材４４とにより、ドア本体２と開口枠１とは、２重の気密構造を備えることとなる。
【００１９】
このように、開口枠１とドア本体２との間には、ドア本体２側に配置された室外側気密材４１，４２と、開口枠１に配置された室内側気密材４３，４４とにより、空間Ａ，Ｂが形成されるので防音性、遮音性を向上させることができる。
【００２０】
また、縦枠１３，１４の内周壁１３１，１４１の内周面には、室内側壁部１３５ａ，１４５ａ及び室外側壁部１３５ｂ，１４５ｂにより構成される溝状の熱膨張材係合部１３５，１４５が形成されている。吊元側の縦枠１４の室外側壁部１４５ｂには、丁番３の他方の羽板３２の室内側端部が当接することにより、見込み方向において位置決めすることができる。
【００２１】
（ドアの吊元側の構造）
上記のように、ドア本体２の吊元側縦框２４の外周面には気密材係合部２４１が形成され、気密材係合部２４１には室外側気密材４２が外周に向けて設けられるとともに、開口枠１の吊元側縦枠１４の内周面には熱膨張材係合部１４５が形成されているが、ドア閉鎖時において、ドア本体２に設けられた室外側気密材４２が縦枠１４に形成された熱膨張材係合部１４５の室外側壁部１４５ｂに当接するようにその位置が設定されている。
【００２２】
これにより、ドア本体２に装着される室外側気密材４２の舌片部４２ｂは、吊元側縦枠１４の内周面にまで延設させる必要はなく、室外側壁部１４５ｂに当接すれば舌片部４２ｂを必要以上に長く形成する必要は無いので、室外側気密材４２の舌片部４２ｂが長すぎることによるへたりやたわみの発生を防止することができ、良好な気密状態を維持することができる。
【００２３】
また、本件発明のドアは、必要に応じて熱膨張材係合部１４５に熱膨張材５を装着して防火ドアとしても用いることができる。熱膨張材５は、熱膨張材係合部１４５に対して、その内周側に突出することなく、例えば両面テープなどで溝状の底部に貼着することにより配置することができる。
【００２４】
熱膨張材係合部１４５は、縦框２４の気密材係合部２４１の室内側壁部２４１ａに対向しており、室内側壁部２４１ａが外周方向に向かって突出しているので、火災等に膨張する熱膨張材５は素早く室内側壁部２４１ａに到達し熱膨張材５がたれ落ちるのを防止することができ、熱膨張材５を空間Ｂに充満させることにより、室内外の連通を効率よく阻止し、延長や煙が広がることを防止することができる。
【００２５】
また、熱膨張材係合部１４５の室外側壁部１４５ｂに室外側気密材４１が当接して気密を行っているので、室外側からの雨等の浸入に対して、交換が比較的容易な室外側気密材４１により熱膨張材５を水等から保護することができ、比較的交換に手間のかかる熱膨張材５の劣化を防ぐことができる。
【００２６】
−本発明の実施形態による作用・効果−
以上のように、本発明の実施形態のドアは、ドア本体に配置される室外側気密材を開口枠の熱膨張材係合部の室外側壁に対向して配置しているので、熱膨張材係合部を気密材の被当接部として利用することができ、室外側気密材の舌片部を必要以上に長くする必要がなくなり、室外側気密材自体を小型化することができるとともに、舌片部が撓むことなどによる気密の破壊を阻止することができる。
【００２７】
そして、耐火ドアとして用いる場合には、熱膨張材係合部に装着される熱膨張材は、室外側気密材の室内側に配置されるので、室外側からの雨水等から保護され、劣化を防止することができるとともに、熱膨張材の膨張時には、気密材係合溝の室内側壁に素早く到達してたれ落ちることが防止されるとともに、室外側縦タイト材と室内側縦タイト材とにより形成される空間部に充填され、効果的に延焼や煙の広がりが防止できる。
【００２８】
さらに、ドア本体の吊元側縦枠に設けた気密材係合部の室外側壁と熱膨張材係合部の室外側壁とにより、丁番の見込み方向の位置決めができるので、開口枠に対するドア本体の取付作業を容易にすることができる。
【符号の説明】
【００２９】
１  開口枠
１１  上枠
１２  下枠
１３  縦枠
１３１  内周壁
１３２  室内側壁
１３３  室外側壁
１３４  戸当り片
１３４ａ  気密材係合部
１３５  熱膨張材係合部
１３５ａ  室内側壁部
１３５ｂ  室外側壁部
１４  縦枠
１４１  内周壁
１４２  室内側壁
１４３  室外側壁
１４４  戸当り片
１４４ａ  気密材係合部
１４５  熱膨張材係合部
１４５ａ  ：室内側壁部
１４５ｂ  ：室外側壁部
２  ドア本体（障子）
２１  上框
２２  下框
２３  戸先側縦框
２３１  戸先側覆部
２４  吊元側縦框
２４１  気密材係合部
２４１ａ  室内側壁部
２４１ｂ  室外側壁部
２５  パネル
３  丁番（支持具）
３２  羽板
３３  羽板
４１  室外側気密材
４２  室外側気密材
４２ａ  固定部
４２ｂ  舌片部
４３  室内側気密材
４４  室内側気密材
４４ａ  固定部
４４ｂ  中空部
４４ｃ  気密片部
５  熱膨張材
Ａ，Ｂ  空間
【図１】
2018091141.tif 000003
【図２】
2018091141.tif 000004
【図３】
2018091141.tif 000005
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
開口枠と、障子を備え、
開口枠と障子との間に気密材が設けられて気密構造が形成されているとともに、
開口枠の内周面に、障子の角部に跨ると共に気密構造に対向するように熱膨張材が配置されている建具。
【手続補正２】
【補正対象書類名】明細書
【補正対象項目名】０００６
【補正方法】変更
【補正の内容】
【０００６】
本発明の一つの実施形態は、開口枠と、障子を備え、開口枠と障子との間に気密材が設けられて気密構造が形成されているとともに、開口枠の内周面に、障子の角部に跨ると共に気密構造に対向するように熱膨張材が配置されている建具である。
【手続補正３】
【補正対象書類名】明細書
【補正対象項目名】００１５
【補正方法】変更
【補正の内容】
【００１５】
（開口枠の構成）
図２に示すように、建物の開口枠１の縦枠１３，１４は、開口部の内周面を覆う内周壁１３１，１４１と、内周壁１３１，１４１の室内側端部より外周方向へ設けられる室内側壁１３２，１４２と、内周壁１３１，１４１の室外側端部より外周方向へ設けられる室外側壁１３３，１４３とにより構成されている。そして、吊元側の縦枠１４の内周壁１４１には、丁番３を構成する他方の羽板３２がネジ等により固定されており、ドア本体２を揺動自在に支持している。